(57)【要約】【課題】水道蛇口の光効果素子構造の提供。【解決手段】本考案の水道蛇口の光効果素子構造は、光効果を水流と合併し、光色水流柱が蛇口から流出し、異なる色系の水流を表す蛇口の設計で、更に、水温を感知し、異なる水流の光効果色系を呈し、水温告知の効果を達する。本考案の設計は、蛇口の出水端に配置され、出水動力動力により、単色、或いは、多色の色系発光素子を駆動すると共に、発光素子の水流に対する投射作用により、蛇口の出水が明らかな光色水流柱を表現し、新規の視覚効果を達する以外に、水温センサーにより水流の光色を制御して、水温を告知する機能を有する。【選択図】    図３
0003138174.tif 000002
【実用新案登録請求の範囲】
【請求項１】
水道蛇口の光効果素子構造であって、蛇口の出水口端に配設し、蛇口の新規的付加価値を増加し、また、水温告知の安全効果を達し、その特徴は、
内、外層壁の間により、円体容置空間を構成し、電池、及び、内部素子を容置し、出水口端に、開放式のラッパを有し、前記ラッパが呈する斜向き周縁面に、一組、或いは、それ以上の同色系、或いは、異なる色系の発光素子を設置する本体と、
防水リングを有し、前記本体が設ける電池容納槽に鎖定し、槽内に電極を供給する電池を容置する電池蓋と、
ハウジングを包覆し、バー、重力復位棒、及び、磁力素子からなり、前記バーは、前記磁力素子中心軸から延出し、軸後に重力復位棒を設置し、前端が呈するシートは、内層壁に進入し、直接、水流動力と、シート衝撃、旋転功能を形成し、前記磁力素子を帯動して、N,S磁極を変更し、水流動力が消失する時、前記重力復位棒は前記バーと前記磁力素子の磁極を復位させる磁石旋転制御素子と、
内部のN,S極の極向き位置を駆動、変化させ、電源開閉を達成するリードスイッチと、
異なる色系のLED発光ダイオードを採用し、一組、或いは、それ以上のラッパ出水口の斜向き周縁面に配設される発光素子と、
からなることを特徴とする水道蛇口の光効果素子構造。
【請求項２】
前記発光素子は、フリッカー式集積回路により、点滅や走馬灯式の投射能力を達し、蛇口の出水に変化を与えることを特徴とする請求項１に記載の水道蛇口の光効果素子構造。
【請求項３】
前記本体内に、電子切り換えスイッチ、サーミスタを有し、前記電子切り換えスイッチは、前記サーミスタの外温温度センサーにより、形成される抵抗の変化が、高低電位信号を出力すると共に、分圧値が極限値より高いか、低いかで、異なる色系の発光素子を切り換え、駆動し、前記発光素子が呈する異なる水流柱の色系で水温を告知することを特徴とする請求項１に記載の水道蛇口の光効果素子構造。
【請求項４】
前記電子切り換えスイッチと前記サーミスタは、感温集積回路素子により代替でき、同様に、水温告知能力を達することを特徴とする請求項３に記載の水道蛇口の光効果素子構造。
【考案の詳細な説明】
【技術分野】
【０００１】
本考案は 水道の蛇口の光効果素子構造に関し、詳細には、蛇口の出水端に配設し、水流運動と動力により、蛇口の出水水流柱が高効果の光色水流視覚効果を達成し、センサーにより蛇口の出水温度を感知して、異なる色系の発光素子を駆動し、水流光色投射作用を形成し、水温告知可能な設計に関する。
【背景技術】
【０００２】
公知の蛇口は、市場において、デザイン、尺寸、材質は様々であり、一般家庭や、公共施設、において、蛇口は、生活に不可欠な物件である。
【０００３】
蛇口への要求と目的は千篇一律で、出水と出水量の制御にあり、構造上、大きな変化はなく、旋転式蛇口から、混合式、分離式等に発展してはいるが、出水温度の告知は、現在に至っても、具体的、且つ、良好な方法や設計がなく、極小円形の表示（半分が赤で、半分が青）で冷、熱水出水の制御としているだけである。よって、このような標記は不明確で、水温が安全かを効果的に告知しておらず、使用者は一目で水温の安全性を確認することができない。
【０００４】
次に、蛇口の相関素子で、特に、蛇口を破壊しない条件下で、蛇口に配設するすべての素子中、現在は、蛇口の出水端に設置し、且つ、ろ過功能を有するものがある。しかし、その設計理念と効果は、本考案と無関係である。本考案の新規性で言えば、水温判読により、異なる色系の発光素子を駆動し、異なる色系を水流に投射し、水流の色効果、或いは、水流光効果により水温告知能力を達する。本考案は、公知の蛇口、及び、蛇口の専属素子中に提供する好ましい方案、及び、設計で、公知の極小の円形による標記の不完全性を克服する。
【考案の開示】
【考案が解決しようとする課題】
【０００５】
本考案の目的は、水道蛇口の光効果素子構造を提供し、蛇口の付加価値を増加し、また、使用の安全性を達することにある。
【課題を解決するための手段】
【０００６】
本考案の水道蛇口の光効果素子構造は、本体、電池蓋、電子切り換えスイッチ、サーミスタ、磁石旋転制御素子、リードスイッチ、及び、一組、或いは、それ以上の発光素子、からなる。
【考案の効果】
【０００７】
１．付加価値の増加。主に、発光素子が蛇口の出水に対し光線投射を施し、蛇口の出水が単色系、多色系、或いは、走馬灯混光型の水流柱光効果を表現し、蛇口の実用性、視覚効果の二重付加価値を提供する。
２．使用安全性の向上。主に、水温センサーと判読により、異なる色系の発光素子を駆動して、異なる水流柱光効果により、水温告知能力を提供する。
【考案を実施するための最良の形態】
【０００８】
図１で示されるように、本考案の蛇口光効果素子構造１は、蛇口２の出水口端に配設されて、蛇口の新規的付加価値を増加し、及び、水温告知能力を達するものである。
【０００９】
図２、図３で示されるように、本考案の水温告知可能な蛇口の光効果素子は、本体１１、電池蓋１２、電子切り換えスイッチ１３、サーミスタ１４、磁石旋転制御素子１５、リードスイッチ１６、及び、一組、或いは、それ以上の発光素子１７、からなる。本体１１は、内、外層壁１１１、１１２の間により、円体容置空間１１３を構成し、電池１２１、電池切り換えスイッチ１３、サーミスタ１４、磁石旋転制御素子１５、リードスイッチ１６を中に容置する。次に、本体１出水口端に、開放式のラッパ１１４を有し、ラッパ１１４が呈する斜向き周縁により、一組、或いは、それ以上の発光素子１７を設置する。
【００１０】
図３で示されるように、発光素子１７は具体例中、LED発光ダイオードを採用し、単一色系、或いは、異なる色系により、一組、或いは、それ以上のLED発光素子１７を本体出口端が呈するラッパ１１４の斜向き周縁面上で、各LED発光素子１７を対外角度投射形態にし、投射される光線は、水流を不断に流出させ、水流柱光効果を達成する。
【００１１】
次に、電源を供給する電池１２１は、電池交換、配入の構造形態を採用し、電池蓋１２の鎖部は、防水リング１２２を有し、本体１１が設ける電池容納槽１１５に鎖定した後、高い防水効果を有する。
【００１２】
図３で示されるように、電源の起動方式において、磁石旋転制御素子１５とリードスイッチ１６の相補により達成され、主に、蛇口２を開いた後、生成される水流動力は、磁石旋転制御素子１５を触転させ、N,S極の変化により、リードスイッチ１６内部のN,S極の極向き位置を駆動、変化させ、電源開閉を達成する。図４で示されるように、磁石旋転制御素子１５は、バー１５１、重力復位棒１５２、磁力素子１５３、からなり、バー１５１は磁力素子１５３中心軸から主体１内壁層１１１に進入し、前端が呈するシートは、直接、開かれた蛇口の水流動力により、シート衝撃、旋転功能を形成する。シートの衝撃により旋転するバー１５１は、水流動力により旋転した後、同時に、磁力素子１５３を帯動して、N,S磁極を変更し、ハウジング１５４外部のリードスイッチ１６を制御し、オンの状態にして、電源を一組の単色系、或いは、一組以上の多色系発光素子１７に供給し、蛇口２の水流に光線を内部投射して、水流光効果を達する。
【００１３】
蛇口２を閉めて、水力動力が喪失した後、バー１５１は、重力復位棒１５２により、磁力素子１５３のN,S極極向きを復位させ、同時に、リードスイッチ１６のN,S極極向きを復位させ、オフ状態にし、発光素子１７の電源を切る。
【００１４】
これにより、本考案は、単純に、新規の視覚効果として実施する時（非温度感知実施）、前述の磁石旋転制御素子１３とサーミスタ１４を排除し、磁石旋転制御素子１５とリードスイッチ１６だけで、電源起動と閉鎖を制御すればよい。
【００１５】
図５で示されるように、本案が水温告知能力を実行する時、電子切り換えスイッチ１３とサーミスタ１４が相補し、この二つの素子は、単一の温感集積回路により代替しても同様の効果を達成することができる。本案は、電子切り換えスイッチ１３とサーミスタ１４の構造と作動原理を利用し、サーミスタ１４が外温を観測後、抵抗１４により生成される抵抗変化後、それぞれ、高低電位を施加し、分圧値を極線値（設定値）より高く、或いは、低くし、電子切り換えスイッチ１３により、それぞれ、二組の異なる発光素子１７を駆動して、水温告知の水流柱光効果を達する。二組の発光素子１７の色系は、赤色系と青色系を採用する。
【００１６】
最後に、本考案の設計と精神を変更しない原則下で、前述の発光素子１７は、フリッカー式集積回路の配置下、発光素子１７が点滅、或いは、走馬灯の投射能力を実行により、蛇口光効果水流柱の視覚効果を達する。
【図面の簡単な説明】
【００１７】
【図１】本考案を蛇口に配設する実施例を示す図である。
【図２】本考案の好ましい実施例の立体外観図である。
【図３】本考案の各素子の立体透視、分解構造図である。
【図４】本考案の磁石旋転制御素子構造、実施作動図である
【図５】本考案の全体断面構造を示す図である。
【符号の説明】
【００１８】
１        光効果素子構造
１１      本体
１１１    内層壁
１１２    外層壁
１１３    容置空間
１１４    ラッパ口
１１５    電池容納槽
１２      電池蓋
１２１    電池
１２２    防水リング
１３    電子切り換えスイッチ
１４    サーミスタ
１５    磁石旋転制御素子
１５１  バー
１５２  重力復位棒
１５３  磁力素子
１５４  包覆ハウジング
１６    リードスイッチ
１７    発光素子
２      蛇口
【図１】
0003138174.tif 000003
【図２】
0003138174.tif 000004
【図３】
0003138174.tif 000005
【図４】
0003138174.tif 000006
【図５】
0003138174.tif 000007
【手続補正書】
【提出日】平成19年1月11日(2007.1.11)
【手続補正１】
【補正対象書類名】実用新案登録請求の範囲
【補正対象項目名】請求項１
【補正方法】変更
【補正の内容】
【請求項１】
水道蛇口の光効果素子構造であって、蛇口の出水口端に配設し、蛇口の新規的付加価値を増加し、また、水温告知の安全効果を達し、その特徴は、
内、外層壁の間により、円体容置空間を構成し、電池、及び、内部素子を容置し、出水口端に、開放式のラッパを有し、前記ラッパが呈する斜向き周縁面に、一組、或いは、それ以上の同色系、或いは、異なる色系の発光素子を設置する本体と、
防水リングを有し、前記本体が設ける電池容納槽に鎖定し、槽内に電極を供給する電池を容置する電池蓋と、
ハウジングを包覆し、バー、重力復位棒、及び、磁力素子からなり、前記バーは、前記磁力素子中心軸から延出し、軸後に重力復位棒を設置し、前記バー前端は本体内層壁に進入し、直接、水流動力と、シート衝撃、旋転功能を形成し、前記磁力素子を帯動して、N,S磁極を変更し、水流動力が消失する時、前記重力復位棒は前記バーと前記磁力素子の磁極を復位させる磁石旋転制御素子と、
内部のN,S極の極向き位置を駆動、変化させ、電源開閉を達成するリードスイッチと、
異なる色系のLED発光ダイオードを採用し、一組、或いは、それ以上のラッパ出水口の斜向き周縁面に配設される発光素子と、
からなることを特徴とする水道蛇口の光効果素子構造。  
【手続補正２】
【補正対象書類名】明細書
【補正対象項目名】００１２
【補正方法】変更
【補正の内容】
【００１２】
図３で示されるように、電源の起動方式において、磁石旋転制御素子１５とリードスイッチ１６の相補により達成され、主に、蛇口２を開いた後、生成される水流動力は、磁石旋転制御素子１５を触転させ、N,S極の変化により、リードスイッチ１６内部のN,S極の極向き位置を駆動、変化させ、電源開閉を達成する。磁力素子１５３のN、S極が変化する時、外部電子感応素子（図示しない）は変化を生じ、リードスイッチ１６を導通させ、磁力素子１５３のN,S極が復位する時、外部電子感応素子はリードスイッチ１６を閉じる。  図４で示されるように、磁石旋転制御素子１５は、バー１５１、重力復位棒１５２、磁力素子１５３、からなり、バー１５１は磁力素子１５３中心軸から主体１内壁層１１１に進入し、前端が呈するシートは、直接、開かれた蛇口の水流動力により、シート衝撃、旋転功能を形成する。シートの衝撃により旋転するバー１５１は、水流動力により旋転した後、同時に、磁力素子１５３を帯動して、N,S磁極を変更し、ハウジング１５４外部のリードスイッチ１６を制御し、オンの状態にして、電源を一組の単色系、或いは、一組以上の多色系発光素子１７に供給し、蛇口２の水流に光線を内部投射して、水流光効果を達する。
【手続補正書】
【提出日】平成19年5月11日(2007.5.11)
【手続補正１】
【補正対象書類名】実用新案登録請求の範囲
【補正対象項目名】請求項１
【補正方法】変更
【補正の内容】
【請求項１】
水道蛇口の出水口に取り付ける光効果素子を備えた本体を、内層壁に囲まれた出水口を中心にして、前記内層壁に囲まれた出水口端は、開放式のラッパ形とし、前記ラッパ形が呈する斜向き周縁面に、一組、或いは、それ以上の同色系、或いは、異なる色系の発光素子を設置するとともに、
前記内層壁で形成される出水口とその端のラッパ形端を外層壁を以て囲繞し、その内層壁と外層壁の間を円体容置空間として構成し、該円体容置空間には電池容納槽１２１、及び、内部素子を容置し、前記電池容納槽は、槽内に電源を供給する電池を容納し、  防水リングを介在させた電池蓋を以て閉塞する電池容納槽とし、更に前記内部素子としては、先端にシートを形成し、後端に重力復位棒を挿通して基部をＮ、Ｓ極を備えた磁力素子に固定したバーを、先端に形成したシートが内層壁に囲まれた出水口に突設して配するとともに、後端に重力復位棒を挿通し基部に固定したＮ、Ｓ極を備えた磁力素子をハウジングに収容して配し、これにＮ、Ｓ極を備えたリードスイッチ電子切換スイッチを配し、更にサーミスタを配する構成としたことを特徴とする水道蛇口の出水口に取り付ける光効果素子を備えた本体。
【手続補正３】
【補正対象書類名】明細書
【補正対象項目名】０００９
【補正方法】変更
【補正の内容】
【０００９】
図２、図３で示されるように、本考案の水温告知可能な蛇口の光効果素子は、本体１１、電池蓋１２、電子切り換えスイッチ１３、サーミスタ１４、磁石旋転制御素子１５、リードスイッチ１６、及び、一組、或いは、それ以上の発光素子１７、からなる。本体１１は、図３に矢印で示すように内層壁１１１で囲まれた出水口を中心にして内、外層壁１１１、１１２の間により、円体容置空間１１３を構成し、電池１２１、電池切り換えスイッチ１３、サーミスタ１４、磁石旋転制御素子１５、リードスイッチ１６を中に容置する。次に、本体１出水口端に、開放式のラッパ１１４を有し、ラッパ１１４が呈する斜向き周縁により、一組、或いは、それ以上の発光素子１７を設置する。
【手続補正４】
【補正対象書類名】明細書
【補正対象項目名】００１０
【補正方法】変更
【補正の内容】
【００１０】
図３で示されるように、発光素子１７は具体例中、LED発光ダイオードを採用し、単一色系、或いは、異なる色系により、一組、或いは、それ以上のLED発光素子１７を本体出水口端が呈するラッパ１１４の斜向き周縁面上で、各LED発光素子１７を対外角度投射形態にし、投射される光線は、水流を不断に流出させ、水流柱光効果を達成する。
【手続補正５】
【補正対象書類名】明細書
【補正対象項目名】００１２
【補正方法】変更
【補正の内容】
【００１２】
図３で示されるように、電源の起動方式において、磁石旋転制御素子１５とリードスイッチ１６の相補により達成され、主に、蛇口２を開いた後、生成される水流動力は、磁石旋転制御素子１５を触転させ、磁力素子１５３に配されたN,S極の変化により、リードスイッチ１６内部のN,S極の極向き位置を駆動、変化させ、電源開閉を達成する。図４で示されるように、磁石旋転制御素子１５は、シート、バー１５１、重力復位棒１５２、磁力素子１５３、からなり、バー１５１は磁力素子１５３中心軸から主体１内壁層１１１に囲まれた出水口に進入し、前端に配するシートは、直接、開かれた蛇口の水流動力により、主体１内層壁１１に囲まれた出水口内でシート衝撃、旋転功能を形成する。シートの衝撃により旋転するバー１５１は、水流動力により旋転した後、同時に、磁力素子１５３を帯動して、N,S磁極を変更し、ハウジング１５４外部のリードスイッチ１６を制御し、オンの状態にして、電源を一組の単色系、或いは、一組以上の多色系発光素子１７に供給し、蛇口２の水流に光線を内部投射して、水流光効果を達する。
【手続補正６】
【補正対象書類名】明細書
【補正対象項目名】００１３
【補正方法】変更
【補正の内容】
【００１３】
蛇口２を閉めて、水力動力が喪失した後、バー１５１は、重力復位棒１５２により、磁力素子１５３のN,S極の向きを復位させ、同時に、リードスイッチ１６のN,S極の向きを復位させ、オフ状態にし、発光素子１７の電源を切る。
【手続補正書】
【提出日】平成19年10月22日(2007.10.22)
【手続補正１】
【補正対象書類名】実用新案登録請求の範囲
【補正対象項目名】全文
【補正方法】変更
【補正の内容】
【実用新案登録請求の範囲】
【請求項１】
水道蛇口の出水口に取り付ける光効果素子を備えた本体を、内層壁に囲まれた出水口を中心にして、前記内層壁に囲まれた出水口端は、開放式のラッパ形とし、前記ラッパ形が呈する斜向き周縁面に、一組、或いは、それ以上の同色系、或いは、異なる色系の発光素子を設置するとともに、前記内層壁で形成される出水口とその端のラッパ形端を外層壁を以て囲繞し、その内層壁と外層壁の間を円体容置空間として構成し、該円体容置空間には電池容納槽、サーミスター及び、内部素子を容置し、前記電池容納槽は、槽内に電源を供給する電池を容納し、防水リングを介在させた電池蓋を以て該槽を閉塞する電池容納槽とし、更に前記内部素子は、先端にシートを形成し、後端に重力復位棒を挿通して成るバーの基部を磁力素子としてのＮ、Ｓ極を固定した磁石旋転制素子とし、該磁石施転制素子を収容したハウジングと、リードスイッチ、電子切換スイッチとから成るものとし、前記ハウジングに収容された磁石施転制素子に挿通したバーの先端に形成したシート、並びにバーの後端に挿通した重力復位棒を前記内層壁に囲まれた出口に突設して配する構成としたことを特徴とする水道蛇口の出水口に取り付ける光効果素子を備えた本体。
【手続補正２】
【補正対象書類名】図面
【補正対象項目名】図４
【補正方法】変更
【補正の内容】
【図４】
0003138174.tif 000008